(57)【要約】      （修正有）【課題】洗髪をせずにカット／整髪だけを行う理美容店で使用することを前提として、理美容店らしい独自の雰囲気を醸し出す支援装置を提供する。【解決手段】ケース体２０の内部に吸引モータと、該吸引モータを介して吸い込んだ毛髪を貯える毛髪貯留部とを備え、ケース体の外部に吸引モータと連結するバキュームホースの連結部２５を二つ備える。またドライヤーハンガー２１、タオルハンガー２３、バキュームホースハンガー２２も二つ備え、バリカン用充電端子を備える。【選択図】図１
0003106453.tif 000002
【実用新案登録請求の範囲】
【請求項１】
ケース体の内部に吸引モータと、該吸引モータを介して吸い込んだ毛髪を貯える毛髪貯留部とを備えるとともに、
ケース体の外部に前記吸引モータと連結するバキュームホースの連結部を少なくとも二つ備える一方、
ケース体の側面または上面に少なくとも二つの電源コンセントおよびバリカン用の充電端子を、側面に少なくとも二つの、ドライヤーハンガーおよびタオルハンガー並びにバキュームホースハンガーを備え、
ケース体の下端にキャスターを備えることを特徴とする理美容店の作業支援装置。
【請求項２】
ケース体の上端部に、ドーム状カバーを備えるとともに、当該ドーム状カバーの内部に公衆回線を介して外部の端末装置から上下左右の角度調整ができる動画の撮像装置を備え、当該撮像装置は、撮影画像データを前記端末装置に対して送信する機能を備えることを特徴とする請求項１記載の理美容店の作業支援装置。
【考案の詳細な説明】
【技術分野】
【０００１】
本考案は、理美容店における調髪または整髪の作業効率を改善するための装置に関する。
【背景技術】
【０００２】
理美容店における調髪または整髪は、従来一般には、洗髪を行うことがある種の慣習となっていた。このため、従来の理美容店は洗髪のための設備、すなわち水道設備、給湯設備、洗髪用シンクなどの諸設備を整える必要があった。
【０００３】
一方、従来から、社会的な景況感が悪化すると男女を問わず年間の調髪／整髪回数が減ることは広く知られている。いわゆる床屋代を節約する傾向が強まるからである。このような状態が続くと、理美容店でも出来るだけ料金を引き下げる工夫をこらす。例えば、洗髪を省略して短時間で調髪ができる点をアピールするなどである。
【０００４】
そして、洗髪をせずに調髪／整髪を行う習慣が身についた顧客層、とくに若年層は、無駄なお金を払ってまで洗髪してもらう必要性を感じない。
【０００５】
他方、新規に理美容店を開業しようとする者は、どうしても洗髪のための設備を必要と感じることが多い。開業を志す者の多くは、経営者としての経験も少ないし、店内に給湯設備や洗髪用シンクがないと理美容店としての雰囲気がなくなると考えがちであるし、いくら料金を安くしても、理美容店らしい雰囲気をもった店内インテリアにしなければ客足がのびないと忠告されることが多いからである。
【０００６】
料金を引き下げつつ安定した経営を行うためには、単純な経済原理でいえば、洗髪を省略し、短時間で多くの調髪／整髪を行い、単位時間あたりの顧客回転数をあげればよい。しかしながら、従来の理美容店で使用されている機材を使っていては、このような希望を実現することは出来ない。余分と思われる設備（給湯設備、洗髪シンク等）がないと、店が殺風景になり、来店者の増加もリピーターの獲得も難しいからである。
【０００７】
洗髪をせずに調髪／整髪を行うためには、カットした後に残される細かな毛髪を頭髪からきれいに除去する必要がある。従来の理美容店で洗髪を行うのは、カットされた細かな毛髪を洗い流して、着衣に毛髪が付着しないようにすることを主たる目的としている。
【０００８】
カット後に細かな毛髪を除去するには、いわゆるバキュームホースを使い、頭髪全体から細かな髪の毛を吸引する。これは、従来から普通の理美容店でも行っている方法である。例えば、特開平０８−０２４４４７号、特願２００１−０００３３３には、カットと吸引を同時に行うための吸引装置が示されている。
【特許文献１】特開平０８−０２４４４７号
【特許文献２】特願２００１−０００３３３号
【考案の開示】
【考案が解決しようとする課題】
【０００９】
ところで、特許文献１、２に示されるような、カットしながら毛髪を吸引する装置は、ホースの先端を持ちながらカットを行うため、ハサミを使うように繊細な調髪は出来ない。また、ホースの重量が腕にかかるので理美容師の作業負担も増える。
【００１０】
大きな問題は、従来提案されている毛髪の吸引装置では、洗髪用の諸設備を店内に設けずに、新規開業を目指す少なくない数の理美容師を支援する役目を果たさない点にある。
【００１１】
毛髪の吸引処理は従来から多くの理美容店で行われているが、それらの吸引装置は小型の掃除機またはデザインを変えた同種装置を使う。しかしこれでは、洗髪用のシンクを備えておらず、店内に鏡とイスだけしかない状態で理美容店を開業しても、顧客側の心理を考えれば見た目も好ましくなく、経営者の立場としては将来に不安を覚えざるを得ない。
【００１２】
一方、理美容師の数は年々増加しており、とくに都市部では同業者の競争が激しくなっている。このため、経営のリスクを軽減するためにも、出来るだけ少額の資金で開業し、コストを引き下げつつ安定した利益を得ることが望まれる。
【００１３】
そこで、本考案の目的は、主として、洗髪をせずにカット／整髪だけを行う理美容店で使用することを技術的前提として、理美容店らしい独自の雰囲気を醸し出すことのできる支援装置を提供することにある。
【課題を解決するための手段】
【００１４】
前記目的を達成するため、請求項１に係る理美容店の作業支援装置は、 ケース体の内部に吸引モータと、該吸引モータを介して吸い込んだ毛髪を貯える毛髪貯留部とを備えるとともに、 ケース体の外部に前記吸引モータと連結するバキュームホースの連結部を少なくとも二つ備える。
【００１５】
二本のバキュームホースを同時に利用可能とすることによって、二つのイスの間に一台の支援装置を配しておけば、二人の顧客に対して調髪作業を行うことが出来るからである。
【００１６】
調髪／整髪のためには、少なくともドライヤーとバリカンが必要である。バリカンはドライヤーに較べると使用頻度が少ない。このため、バリカンの充電端子は少なくとも一個あればよい。ドライヤーは整髪時に同時に使用する機会が多いため、電源コンセントは少なくとも二つ以上設けておく。電源コンセントは主としてドライヤーのコンセントを差し込むために設けるが、他の電気製品、例えばカール整髪用の機材を使用するために用いてもよい。
【００１７】
ドライヤーは同時に使用することを考慮する。このため、ケース体の側面には少なくとも二つのドライヤーハンガーを設ける。素早く取り出し、元に戻すことが出来るようにするためである。
【００１８】
またケース体の側面には少なくとも二つのタオルハンガーとバキュームホースハンガーを設ける。一台の支援装置を利用して、二人の理美容師が二人の顧客に対して同時に調髪／整髪を行えるようにするため、理美容師が手を拭くためのタオル、および毛髪の吸引を行うバキュームホースは、それぞれの理美容師が随時使える状態にしておく必要であるからである。
【００１９】
カット後は、毛髪が床に落ちる。このため、支援装置はケース体の下端にキャスターを備え、手で押すだけで移動できるようにし、簡単に床清掃が出来るようにしておく。
【００２０】
請求項２に係る支援装置は、 ケース体の上端部に公衆回線を介して外部の端末装置から上下左右の角度調整ができる動画の撮像装置を備え、当該撮像装置は、撮影画像データを前記端末装置に対して送信する機能を備える。
【００２１】
開業資金を抑えつつ新規に独立開業しようとする理美容師の多くは、十分な社会経験をもたない若年層である。また、社会経験が十分にあっても経営者としての経験がまったくない人もいる。このような理美容師は、たとえ技術があっても接客態度に難があったり、店内をきれいに保つ努力を怠ったりするなど、質の高い理美容店の水準を常時維持できないことが少なくない。
【００２２】
そこで、支援装置を介して店内の様子を管理センターがモニターチェックし、指導し改善するべき点を教示することによって、新規開業店の経営状態を安定させることが出来る。
【００２３】
支援装置は、イスとイスの間の後方に置かれるものである。従って、理美容師と顧客の様子、あるいは店内の様子は、上下左右に駆動できる動画の撮像装置を介して遠隔地の管理センターにおいても容易にチェックできる。このような撮像装置を支援装置にあらかじめ搭載させることにより、経営者としての経験が浅い理美容師も水準の高い技術とサービスを提供することが可能となる。
【考案の効果】
【００２４】
本考案に係る理美容店の作業支援装置によれば、イスと鏡だけの店舗であっても、随時使用可能な少なくとも二本の毛髪用のバキュームホース、常時給電されている少なくとも二つのドライヤー、常時充電されているバリカン、ハンガーに掛けられたタオル等によって、イスとイスとの間の後方に配置された支援装置が理美容店らしい雰囲気を作り出すことが出来る。
【００２５】
理美容店にふさわしい装備品を搭載し、店内に配置される支援装置は従前にはなかった。このため、ケース体を斬新なデザイン、例えばロボット型とするなど、意匠的な工夫を凝らすことにより、新しいタイプの理美容店の象徴的な装置として広く社会に浸透する可能性をもつ。
【考案を実施するための最良の形態】
【００２６】
図１〜図４は、本考案に係る理美容店の支援装置を例示するものである。この支援装置１０は、平面略円形の基台１１にキャスター１４を配し、手動で自由に動かせるようにしてある。キャスター１４は、上下動可能なアジャスタ１２に配しておき、作業中は固定脚１５を接地させて、支援装置１０が動かないように安定固定させることが望ましい。アジャスタ１２は、例えばフットペダルによって簡単に上下動操作が出来るようにしておく。
【００２７】
基台１１の上には、適宜の部材、例えば樹脂製のフレキシブルパイプで成形した台座１６を配し、その上に本体ケース２０を設ける。
【００２８】
台座１６は主として高さ調整と外観品質を良好にするためのものである。台座１６の内部空間は、吸引した毛髪の貯留部として利用することもできるし、必要に応じて使用する予備空間、例えば、予備タオルの格納や、手洗用水のタンクの格納スペースとして利用することが出来る。
【００２９】
本体ケース２０は、側面に二つのドライヤーハンガー２１と、二つのバキュームホースハンガー２２と、二つのタオルハンガー２３を備える、
【００３０】
本体ケース２０の上面には、二つのバキュームホースの連結部２５と、二つのバリカン用の充電端子２６を配する。２７は、小型のトリミングバリカンの充電用端子、２８は、調髪時に使用する液体容器を格納するボトルホルダーである。また図示しない適宜の箇所にドライヤー用の給電端子（コンセント）を設けておく。Ｗは、図示しない操作スイッチによって手洗用の液体を排出する洗浄液の注水口である。本体ケース２０の内部に設けたタンクから、必要に応じて洗浄液を排出する。
【００３１】
床面から本体ケース２０の上端までの高さは、上面に配するバリカン等の取り出し易さなどから、１ｍ程度の高さに設定する。高さ設定は、理美容師の身長に応じて適宜調節できるようにしておくことが望ましい。
【００３２】
図５に示すように、この支援装置１０はイスＣ１とイスＣ２の間の後方に配置して、二人の理美容師Ｍ１、Ｍ２が、二人の顧客Ｓ１、Ｓ２の調髪／整髪を同時に行えるようにするための装置である。このため、ドライヤーハンガー２１、バキュームホースハンガー２２、タオルハンガー２３は二つずつ設けておく。各ハンガー（２１〜２３）は、対象物の形状、大きさ、理美容師の動きを考慮して、見栄えよくデザインし、使いやすい箇所に配する。同様の理由で、バキュームホースの連結部２５、バリカン用の充電端子２６も二つずつ設ける。トリミングバリカンの充電用端子２７、ボトルホルダー２８、給電端子（コンセント）も、それぞれ二つずつ設けておくことが望ましい。
【００３３】
本体ケース２０の内部には、図示しないが、バキュームホースの連結部２５に連通する吸引モータ、および吸引した毛髪の貯留部を配する。図２に吸引モータの駆動スイッチを符号４５として示す。本体ケース２０の側面の適当箇所、例えばドライヤーハンガー２１の間には、吸引モータの排気を排出する排気用スリット２９を設けておく。また、本体ケース２０の一側面には、開閉自在な点検ハッチ（開き戸）４０を設けておき、吸引モータの点検や吸引した毛髪の除去清掃が出来るようにしておく。４１は、点検ハッチ４０の把手である。４３は、引き出し可能な収納ケースである。収納ケース４３の内部には殺菌灯を配し、ハサミ、櫛、ブラシなど調髪／整髪時に用いる適宜の道具類を常時殺菌（滅菌）できる状態で格納しておくことが望ましい。４４は、収納ケースの把手である。
【００３４】
本実施形態では、本体ケース２０の上面中央に、透明性のある樹脂またはガラスで成形したドーム状カバー３０を設け、その内部に、上下左右に駆動できる撮像カメラ３１を配する。撮像カメラ３１は、例えば公衆回線を介して遠隔地から上下左右の角度調整ができる可動部材に搭載し、撮像カメラ３１自身も、公衆回線を介して遠隔地からデータ送信のオンオフ制御が可能なものとする。可動部材に対する遠隔地からの角度制御は、例えば、携帯電話を利用してスッテップモータの駆動量を調整する等により構成できる。監視側の端末装置は、いわゆるＰＣ端末に限らず携帯電話、ＰＨＳ、その他の携帯端末装置を利用してかまわない。なお、符号Ｌは、収納ケース４３の内部に配した殺菌灯のパイロットランプである。
【００３５】
従って、かかる構成によれば、移動可能な一台の支援装置１０を配置するだけで、調髪に必要なすべての要求を満たしつつ、二人の顧客Ｓ１、Ｓ２に対して同時に毛髪の吸引やドライヤーを使った整髪を行うことが出来る。理美容師Ｍ１、Ｍ２が使うであろう最低限の設備、例えば手洗いのための注水口Ｗ、タオルをかけておくタオルハンガー２３、バリカン用の充電端子２６、２７、ボトルホルダー２８等を備えるので、作業効率を十分に担保できる。
【００３６】
ハサミや櫛などは、理美容師Ｍ１、Ｍ２が携帯バッグに入れてもっているが、殺菌の必要が生じたときは、水洗いをした後に収納ケース４３に格納して消毒（滅菌）することができるため衛生面の問題も生じない。支援装置１０は、キャスター１４を備えて移動可能であるから、床を清掃するときにも邪魔にならず、店舗を引っ越しするときにも簡単に移動させることができる。
【００３７】
また、上端部に設けたドーム状カバー３０の内部に、上下左右に駆動できる撮像カメラ３１を配することにより、管理センターが例えばチェーン店の接客態度や技術、サービスを随時チェックして、質の高い理美容店とするべく経営姿勢を指導することが可能となる。
【００３８】
撮像カメラ３１を介して得た動画／画像は、管理センター側においてハードディスクや外部記録媒体に保存格納しておくことが望ましい。経営者側からすればトラブル時の証明にもなるし、顧客側からすれば管理センターに対して明確にクレームをつけることができるし、管理センター側とすれば、好ましい接客態度や技術的な工夫、あるいはトラブル時の上手な対処方法など、新規開業を目指す理美容師に対しての豊富なサンプルを取得できるメリットがある。
【００３９】
なお、本考案に係る支援装置１０は、必ずしも撮像カメラ３１を必要としない。その場合は、撮像カメラ３１に代えて調光装置（例えばＬＥＤ調光装置）などを配してもよい。チェーン店でない場合や管理センターの指導を受ける必要がない場合は、撮像カメラ３１は必要がないからである。
【００４０】
外観はとくに限定されない。しかし、理美容師が使いやすい高さはドーム状カバー３０の部分を除いて、床面から１ｍ程度である。この程度の高さをもち、余分なスペースをとらず、理美容師がぶつかって怪我をしないようにするには、全体形状を略円筒形とすることが望ましい。本体ケース２０が角張っていると、ぶつかって怪我をする機会が増えるし、理美容師の立ち位置から側面や背面が見にくくなるからである。
【００４１】
また、全体形状を略円筒形として、上部にドーム状カバー３０を設けると、いわゆるロボット型になり、洗髪をせずに短時間で調髪／整髪を行う新しいタイプの理美容店のシンボル的な形状となる可能性をもつ。
【図面の簡単な説明】
【００４２】
【図１】本考案に係る支援装置を例示する正面図である。
【図２】本考案に係る支援装置を例示する側面図である。
【図３】本考案に係る支援装置を例示する背面図である。
【図４】本考案に係る支援装置を例示する平面図である。
【図５】本考案に係る支援装置の配置例を示す図である。
【符号の説明】
【００４３】
１０  支援装置
１１  基台
１２  アジャスタ
１４  キャスター
１５  固定脚
１６  台座
２０  本体ケース
２１  ドライヤーハンガー
２２  バキュームホースハンガー
２３  タオルハンガー
２５  バキュームホースの連結部
２６  バリカン用の充電端子
２７  トリミングバリカンの充電用端子
２８  ボトルホルダー
２９  排気用スリット
３０  ドーム状カバー
３１  撮像カメラ
４０  点検ハッチ
４１  （点検ハッチの）把手
４３  収納ケース
４４  （収納ケースの）把手
Ｗ  洗浄液の注水口
Ｃ１、Ｃ２  イス
Ｍ１、Ｍ２  理美容師
Ｓ１、Ｓ２  顧客
Ｌ  （殺菌灯の）パイロットランプ
【図１】
0003106453.tif 000003
【図２】
0003106453.tif 000004
【図３】
0003106453.tif 000005
【図４】
0003106453.tif 000006
【図５】
0003106453.tif 000007